(57)【要約】【課題】表示装置において、構成要素上の制約から映像信号源と表示器の水平及び垂直の画素数が一致しているにも関わらず、途中の処理部の扱える画素の制約から画像の拡大あるいは縮小が行われ画素のドット対応が崩れてしまうことを課題とする。【解決手段】上記課題を解決するために、処理部がサポートしている水平及び垂直画素数の組み合わせのうち、映像信号源の水平及び垂直画素数よりも一回り大きものを使用することで、途中余分な拡大・縮小をすることなく１対１のドット対応維持したまま処理を行う。【選択図】  図１
2009211445.tif 000002
【特許請求の範囲】
【請求項１】
通信で受信した映像信号を処理する通信受信部と、
前記通信受信部からの出力を処理するメイン処理部と
前記メイン処理部の出力を表示する表示部と
を有する表示装置において、
前記通信受信部から出力される映像信号の水平と垂直の画素数と、前記表示部で表示出来る映像信号の水平と垂直の画素数とが異なる場合に、
前記通信受信部にて前記映像信号にダミー信号を加えることで、前記表示部で表示出来る水平と垂直の画素数の映像信号とし、
前記メイン処理部で前記ダミー信号が前記表示部で表示されないように処理することを特徴とする表示装置。
【請求項２】
請求項１記載の表示装置において、
前記通信は、Local Area Network、無線Local Area Network、Wide Area Network、または公衆回線であることを特徴とする表示装置。
【請求項３】
請求項１記載の表示装置において、
通信で受信した前記映像信号の水平画素数が１２８０ドットであり、垂直画素数が８００であり、
また、ダミー信号を加えることで、前記メイン処理部へ入力する映像信号の水平画素数が１２８０ドットであり、垂直画素数が１０２４ドットであることを特徴とする表示装置。
【請求項４】
通信で受信した映像信号を処理する通信受信部と、
前記通信受信部からの出力を処理するメイン処理部と
前記メイン処理部の出力を表示する表示部と
を有する表示装置において、
前記通信受信部から出力される映像信号の水平と垂直の画素数と、前記表示部で表示出来る映像信号の水平と垂直の画素数とが異なる場合に、
前記表示部で表示出来る水平と垂直の画素数の映像信号とするダミー信号が加えられた映像信号を前記通信処理部が受信し、
前記メイン処理部で前記ダミー信号が前記表示部で表示されないように処理することを特徴とする表示装置。
【請求項５】
請求項４記載の表示装置において、
前記通信は、Local Area Network、無線Local Area Network、Wide Area Network、または公衆回線であることを特徴とする表示装置。
【請求項６】
請求項４記載の表示装置において、
水平画素数が１２８０ドットであり、垂直画素数が８００である映像信号にダミー信号を加えることで、
水平画素数が１２８０ドットであり、垂直画素数が１０２４ドットである映像信号を前記通信処理部が受信することを特徴とする表示装置。
【請求項７】
通信で受信した映像信号を表示する表示装置において、
映像を最終的に表示する表示器は映像信号源側での水平及び垂直解像度に１対１のドット対応するが、映像信号映像処理経路で用いている回路が映像信号源側に１対１でドット対応する水平及び垂直画素数を用いることが出来ない場合に、一旦一回り大きい水平及び垂直画素数を用い、表示する前に再度映像信号源側での水平及び垂直画素数に切り出すことで、１対１のドット対応を保ったまま表示することを特徴とする表示装置。
【請求項８】
請求項７の表示装置において、映像信号をネットワーク経由で受信後にダミーデータを付加して一回り大きい水平及び垂直画素数に変換することを特徴とする表示装置。
【請求項９】
請求項７の表示装置において、映像信号をネットワーク経由で送信前にダミーデータを付加して一回り大きい水平及び垂直画素数に変換することを特徴とする表示装置。
【発明の詳細な説明】
【技術分野】
【０００１】
本発明は、映像を表示する表示装置を提供する技術に関する。
【背景技術】
【０００２】
表示装置として、例えば、プロジェクタと呼ばれるものが知られており、当該プロジェクタにて画像を表示するものについて、例えば、特許文献１に開示があるものである。
【０００３】
【特許文献１】特開２００６−１０６１５８号公報
【発明の開示】
【発明が解決しようとする課題】
【０００４】
特許文献１は、画像信号装置からの画像データなどをネットワーク接続したプロジェクタから表示させるものである。
【０００５】
特許文献１では、画像信号装置から転送される画像データの画像サイズ(解像度)とプロジェクタの表示パネルの解像度が異なる場合に解像度変換を行う必要があり、その解像度変換処理についての新たな工夫を開示するものである。
【０００６】
また、画像信号装置として、例えば、パーソナルコンピュータ(以下、パソコン)を用いて、ネットワーク接続したプロジェクタから表示されることがある。
【０００７】
ところで、最近、当該パソコンの画像サイズとして、ＷＸＧＡ(１２８０*８００)のサイズにて表示を行われるものが知られるようになってきた。
【０００８】
当該画像サイズに対応する画素データがネットワーク経由でプロジェクタに入力されるにあたり、当該プロジェクタのネットワーク受信部の画像処理が、上記パソコンの画像サイズと異なる場合に、当該プロジェクタの表示パネルで、上記パソコンの画像サイズのままで表示が出来ないことが予想され、問題となることがある。
【０００９】
例えば、上記パソコンの画像サイズがＷＸＧＡ(１２８０*８００)のサイズであると想定して、上記プロジェクタのネットワーク受信部で処理出来る画像サイズが、例えば、ＶＥＳＡ規格のＷＸＧＡ(１２８０*７６８)のみ対応するものであると、上記パソコンの画像サイズと上記プロジェクタの表示パネルとの表示ドットの対応を確保して表示することが困難となる可能性があり問題となる。
【００１０】
この問題は、上記特許文献１にて開示されている解像度変換処理による対応とは、また別次元の問題であると言える。
【００１１】
本発明では、上記の問題とされることの解決を課題とするものである。
【課題を解決するための手段】
【００１２】
上記課題を解決するにあたり、以下のようにするものである。
【００１３】
上述のように、上記パソコンの画像サイズと上記プロジェクタの表示パネルとの表示ドットの対応を得て出来るようにするにあたり、上記ネットワーク受信部において、工夫することが必要である。
【００１４】
その為に、上記パソコンの画像サイズと上記ネットワーク受信部における画像処理と、上記パソコンの画像サイズとの間で表示ドットの対応を得て出来るようにする。
【００１５】
それは、上記ネットワーク受信部における画像処理の画像サイズと、上記パソコンから出力させる画像サイズとを同じものを選択するようにする。
【００１６】
先ず、例えば、上記パソコンから出力させる画像サイズとして１２８０*８００を選択し、上記ネットワーク受信部では、当該１２８０*８００の画像サイズにて、受信する。
【００１７】
次に、上記ネットワーク受信部の処理において、受信した１２８０*８００のデータに、１２８０*２２４のダミーデータ加えて、１２８０*１０２４のデータを出力するものとする。
【００１８】
そして、上記ネットワーク受信部の後段であって、上記表示パネルで表示されるデータを処理する信号処理部であるメイン処理部(メインボード)にて、上記ダミーデータ領域と上記パソコンで表示されている画像サイズの画素データ(１２８０*８００)の領域と分けて、当該上記パソコンで表示されている領域(１２８０*８００)を上記表示パネルで表示するようにする。
【００１９】
上記の処理では、ダミーデータを上記ネットワーク受信部にて加えるものとしている。
【００２０】
一方、当該ダミーデータを上記パソコンから出力される際に加えて出力するものであっても良い。その構成について、以下に説明する。
【００２１】
例えば、上記ネットワーク受信部の画像サイズと、上記パソコンから出力させる画像サイズとを同じ１２８０*１０２４を選択して処理を行うこととする。
【００２２】
その上で、パソコン等の画像表示装置から、画素データを出力する際に、先ず、１２８０*１０２４のデータを出力するものとする。
【００２３】
そして、１２８０*１０２４のデータ出力の内で、１２８０*８００の領域は、上記パソコンで表示されている画像サイズの画素データを出力し、残りの領域(１２８０*２２４)は、ダミーデータを出力するようにする。
【００２４】
次に、上記プロジェクタの上記ネットワーク受信部は、ネットワーク経由にて、１２８０*１０２４の画素データを受信するが、上記ネットワーク受信部では、画像サイズとして、同じ１２８０*１０２４が選択されているので、表示ドットの対応が得られるものとなっている。
【００２５】
但し、当該受信した画素データには、ダミーデータ（１２８０*２２４）を含んでおり、当該ダミーデータ領域をそのまま上記プロジェクタの表示パネルで表示することは、必ずしも好ましいとは言えない場合がある。
【００２６】
従って、上記プロジェクタの上記ネットワーク受信部の後段であって、上記表示パネルで表示されるデータを処理する信号処理部であるメインボードにて、上記ダミーデータ領域と上記パソコンで表示されている画像サイズの画素データ(１２８０*８００)の領域と分けて、当該上記パソコンで表示されている領域(１２８０*８００)を上記表示パネルで表示するようにする。
【００２７】
なお、パソコン等の画像表示装置から、画素データを出力する際に、上記ダミーデータ領域を含んでいることを示す識別データを含んで出力するようにしてもよい。当該識別データが含まれていることで、上記メインボードでは、上述の上記パソコンで表示されている領域(１２８０*８００)を１２８０*１０２４の画素データから、切出す処理を起動して実行することが可能となる。
【００２８】
なお、上述において、表示ドット対応を得るとは、パソコンの表示部にて表示される任意の１ドットの画素が、プロジェクタの表示パネルにおいて表示される1ドットの画素に、１対１で対応して、表示されることを示すものとする。
【００２９】
更に、上記表示ドット対応を得ることの別の表現をすれば、パソコンの表示部にて表示される画素と、プロジェクタの表示パネルにおいて表示される画素との両者において、水平及び垂直のドット数が等しいと言うことが出来る。
【００３０】
上記にて、ネットワーク受信部としているものは、通信受信部とも称するものとする。
【００３１】
また、上記にて、メインボードとしているものは、メイン処理部とも称するものとする。
【発明の効果】
【００３２】
上記構成とすることによって、上述の問題が解決されるものとなり、上記パソコンの画像サイズと上記プロジェクタの表示パネルとの表示ドットの対応を得て表示するように改善されるものとなる。
【００３３】
例えば、従来よりも、パソコンとプロジェクタとの間での表示ドットの対応が得られるようになれば、文字や細かい線画などを表示した場合には、文字や線画の表示品質が向上するなどの効果が期待出来るものとなる。
【発明を実施するための最良の形態】
【００３４】
以下、本発明の実施の形態について図面を用いて説明する。
【実施例１】
【００３５】
図１は第１の実施例を示す表示装置の構成図である。
【００３６】
図１において、１０は映像信号源となるパソコン、１１はパソコン用のネットワークアダプタ（以下「ＰＣ用ＮＷアダプタ」と省略する）、２０は表示を行うためのプロジェクタ、３０はパソコン１０からの映像データをＰＣ用ＮＷアダプタ１１から受信し、映像信号へ変換するネットワーク受信部(若しくは、通信受信部とも称するものとする)、４０はネットワーク受信部３０からの映像信号を受け、表示パネル５０で使用可能な信号に変換するメインボード(若しくは、メイン処理部とも称するものとする)、５０はメインボード４０からの映像信号によりランプ（図示せず）からの光をコントロールし投射レンズ（図示せず）を経由して映像を表示する表示器である表示パネルである。
【００３７】
ネットワーク受信部３０において、３１はＰＣ用ＮＷアダプタ１１からのデータを受信するプロジェクタ用ネットワークアダプタ（以下「ＰＪ用ＮＷアダプタ」と省略）、３２はネットワーク経由でのデータを映像信号に変換したものを一時蓄えておくフレームメモリ、３４はＰＪ用ＮＷアダプタ３１からのデータを受け、フレームメモリ３２に映像信号データの形で格納するネットワーク受信部用Central Processing Unit（以下「ネットワークＣＰＵ」と略す）、３３はフレームメモリ内のデータを読み出し、メインボードが受け取ることの出来る形に変換する映像出力部、３５はネットワークＣＰＵ３４の処理プログラムを格納するRead Only Memory（Flash Memoryを含む）（以下「ＲＯＭ」と略す）、３６はＣＰＵがプログラムを実行する際に使用される演算結果等を格納するRandom Access Memory（以下「ＲＡＭ」と略す）である。
【００３８】
メインボード４０において、４４はネットワークＣＰＵ３４と必要に応じて相互通信を行い、メインボード上の制御を行うメインボード用Central Processing Unit（以下「メインＣＰＵ」と略す）、４１はネットワーク受信部３０の映像出力部３１からの映像信号を受けメインボードで処理できる形に変換する映像入力部、４２は映像入力部４１からの映像信号を受け、表示パネル５０に適した解像度及びフレーム周波数に変換を行う拡大縮小処理部、４３は拡大縮小処理部４２からの映像データを受けて、表示パネル５０で使用できる映像信号へと変換及び調整を行うパネル駆動処理部である。
【００３９】
図２は本発明における映像データの処理の一例である。図２（ａ）はパソコン１０上の原画、図２（ｂ）はネットワーク経由で送受信し、ネットワーク受信部で出力可能なフォーマットに変換されたネットワーク受信部出力、図２（ｃ）はメインボード４０で処理後のパネル５０上での表示画像である。
【００４０】
図３は本発明におけるネットワーク受信部出力の詳細の一例である。７０はネットワーク受信部の出力、７１はネットワーク受信部の出力パソコン１０上での映像と水平及び垂直のドット数の等しい、すなわち表示ドット対応の取れている映像部分、７２はネットワーク受信部の出力に対し、表示どっと対応の取れている映像部分７１が不足している部分を補うダミー映像部分である。
【００４１】
図４は本発明におけるネットワーク受信部出力がサポートしている水平及び垂直の画素の一例である。
【００４２】
次に動作について述べる。
【００４３】
パソコン１０で表示されている映像信号は、パソコン内のソフトウェア（図示せず）によってデータに変換され、ＰＣ用ＮＷアダプタ１１を用いて、例えば無線Local Area Network(以下「無線ＬＡＮ」と略す)経由でプロジェクタ２０へと送信される。プロジェクタ２０では、ＰＪ用ＮＷアダプタ３１でネットワーク経由のデータを受信し、ネットワークＣＰＵ３４に渡す。
【００４４】
ネットワークＣＰＵではＲＯＭ３５のプログラムに従い、ＲＡＭ３６を用いてフレームメモリ３２にネットワークからのデータを映像データに戻して格納する。映像出力部３３はフレームメモリ内のデータを読み出し、映像出力部３３内のクロック発生器（図示せず）からのクロックに従いDigital-Analogコンバータ（以下「ＤＡＣ」と省略）（図示せず）でアナログの映像信号に変換すると共にアナログ映像信号の水平及び垂直同期信号を生成する。
【００４５】
このとき、例えばパソコン１０で使用されているパネル５０の解像度が水平画素数１２８０ドットかつ垂直画素数８００ドットであり、映像出力部３３が例えば図４に示すように水平画素数１２８０ドットかつ垂直画素数８００ドットには対応してないが、水平画素数１２８０ドットかつ垂直画素数１０２４ドットには対応している場合、図３の７２に表示されているように、ＰＣ１０の原画像と表示ドット対応の取れている水平画素数１２８０ドットかつ垂直画素数８００の部分に、水平画素数１２８０ドットかつ垂直画素数２２４ドットのダミー映像部分７２をネットワーク受信部３０内の処理にて加えることで、映像出力部３３の出力を、パソコン１０の原画像７０における表示ドットの対応を保ったまま出力することが出来る。
【００４６】
次にメインボード４０内の映像入力部４１は映像出力３３からのアナログ映像データ及びクロックを受信し、映像入力部４１内のAnalog-Digitalコンバータ（以下「ＡＤＣ」と省略）（図示せず）によってデジタルデータに変換し、水平及び垂直の同期信号及びクロックと共に拡大縮小処理部４２に送る。
【００４７】
拡大縮小処理部４２は、例えばパネルの水平解像度が１２８０ドットかつ垂直解像度が８００ドットの場合は、図３の映像信号内のダミー映像部分７２を削除し、表示ドット対応の取れている映像部分７１のみを拡大縮小処理部内のメモリ（図示せず）から切り出し、駆動処理部に出力する。駆動処理部ではパネル５０で扱うことの可能なレベルや入出力特性の調整を行い、またパネル５０の必要に応じて駆動電圧の反転等の処理を行う。
【００４８】
パネル駆動処理部４３からの映像信号を受信したパネル５０はランプ（図示せず）からの光を映像信号に応じてコントロールすることで画像データを映像として投射レンズ（図示せず）を経由して表示する。
【００４９】
これによって、パソコン１０とパネル５０の解像度が共に水平画素数１２８０ドットかつ垂直画素数８００ドットの場合に、処理の途中に入る映像出力部３３が水平画素数１２８０ドットかつ垂直画素数８００ドットに対応していない場合も、それより大きい水平画素数１２８０ドットかつ垂直画素数１０２４ドットに対応していれば表示ドットの対応を保ったまま表示することが可能となる。
【００５０】
本実施例においては、ＰＣ用ＮＷアダプタ１１及びＰＪ用ネットワークアダプタは無線ＬＡＮを例に説明したが、有線でのネットワークでもLocal Area Networkより大規模な例えばWide Area Networkや公衆回線を使用しても可能なことは自明である。
【００５１】
また、図３においてダミー映像部分７２は表示ドット対応の取れている映像部分７１の下部に付加する例で説明をしたが、ダミー映像部分は上下でも左右でもよく、また水平画素数も原画像より大きい映像信号であって、例えば水平画素数１４００ドットかつ垂直画素数１０５０ドットの場合、ドット対応の取れている映像信号７１の左右片方あるいは双方にダミー映像信号を付加することとなる。
【００５２】
本実施例ではネットワークＣＰＵ３４と映像出力部３３が別のものとして説明したが、ネットワークＣＰＵ３４が映像出力部３３を持っていても構わない。この場合はネットワークＣＰＵ３４の映像出力の対応している垂直及び水平の画素が、映像出力部３３の出力フォーマットに相当する。
【００５３】
本実施例では映像出力部はＤＡＣを用いて映像データをアナログ信号に変換し、映像入力部４１でＡＤＣを用いて、デジタル信号、データに戻していたが、デジタル信号のまま直接映像入力部４１に渡してもよいし、パラレルのデジタル信号を映像出力部３３でシリアルデジタル信号に変換して出力し、映像入力部４１でパラレル信号に戻しても良い。
【００５４】
本実施例では映像出力部３３からのクロックを映像入力部４１に送り、映像入力部４１のＤＡＣで使用したが、映像出力部３３からの水平同期信号を元に映像入力部４１でPhase Lock Loopなどのクロック再生器を用いて生成したクロックを用いて、両者の同期を得るようにしても良い。
【００５５】
本実施例では、映像出力部３３がフレームメモリ３２からデータを読み出し、出力する際にダミー映像部分７２を付加した例をしめしたが、パソコン１０において、画像をデータに変換してプロジェクタ２０に送る際にダミーデータを付加しても良い。
【図面の簡単な説明】
【００５６】
【図１】表示装置の構成図
【図２】映像処理の一例
【図３】ネットワーク受信部出力詳細の一例
【図４】水平及び垂直画素数のサポート可否の一例
【符号の説明】
【００５７】
１０：パソコン
１１：ＰＣ用ＮＷアダプタ
２０：プロジェクタ
３０：ネットワーク受信部
３１：ＰＪ用ＮＷアダプタ
３２：フレームメモリ
３３：映像出力部
３４：ネットワークＣＰＵ
３５：ネットワークＣＰＵ用ＲＯＭ
３６：ネットワークＣＰＵ用ＲＡＭ
４０：メインボード
４１：映像入力部
４２：拡大縮小処理部
４３：パネル駆動処理部
４４：メインＣＰＵ
４５：メインＣＰＵ用ＲＯＭ
４６：メインＣＰＵ用ＲＡＭ
５０：パネル
【図１】
2009211445.tif 000003
【図２】
2009211445.tif 000004
【図３】
2009211445.tif 000005
【図４】
2009211445.tif 000006